(57)【要約】      （修正有）【課題】カバー部材を開いて、電子機器を見やすく操作しやすい姿勢に容易に変更できる電子機器用ケースを提供する。【解決手段】ベース部材１１０とカバー部材１２０とを備え、画像表示部を備えた電子機器２００を収納する。ベース部材１１０は、相対向する一辺部と他辺部とを備えて電子機器２００を保持する。カバー部材１２０は、ベース部材１１０の一辺部に回動可能に接合され、開位置と閉位置とに配置できる。更に、ベース部材１１０の内側であって他辺部の近傍に基端部が回動自在に接合されて、電子機器２００とベース部材１１０との間に配置され、電子機器２００の裏面に接触する支持プレート部材１５０と、カバー部材１２０の他辺部近傍の内側に一端が接合され、支持プレート部材１５０の先端部を位置変更可能かつ接離自在に連結できる連結部材１６０とを備える。【選択図】図６
0003198822.tif 000002
【実用新案登録請求の範囲】
【請求項１】
ベース部材とカバー部材とを備え、前記ベース部材と前記カバー部材の内部に平板状であり表面に画像表示部を備えた電子機器を収納する電子機器用ケースにおいて、
前記ベース部材は、相対向する一辺部と他辺部とを備える平板部材であり、前記画像表示部を露出した状態で前記電子機器を保持するものであり、
前記カバー部材は、前記ベース部材の一辺部に回動可能に接合され、前記ベース部材に保持された前記電子機器の前記画像表示部を露出する開位置と前記画像表示部を覆う閉位置とに配置できるものであり、
前記ベース部材の内側であって前記他辺部の近傍に基端部が回動自在に接合されて、前記電子機器と前記ベース部材との間に配置され、前記電子機器の裏面に接触する支持プレート部材と、
前記カバー部材の内側であって前記他辺部の近傍に一端が接合され、前記支持プレート部材の先端部を位置変更可能かつ接離自在に連結できる連結部材と、
を備えることを特徴とする電子機器用ケース。
【請求項２】
前記支持プレート部材の先端部と前記連結部材とは、面ファスナ部材で接合されることを特徴とする請求項１に記載の電子機器用ケース。
【請求項３】
前記ベース部材及び前記カバー部材を、前記一辺部以外の周囲を開閉可能に結合する線ファスナ部材を備えることを特徴とする請求項１又は請求項２に記載の電子機器用ケース。
【請求項４】
前記支持プレート部材を前記カバー部材の内側面に固定する固定手段を備えることを特徴とする請求項１から請求項３までのいずれか一項に記載の電子機器用ケース。
【請求項５】
前記カバー部材の内側に形成され、前記電子機器の付属部材を収納する収納部を備えることを特徴とする請求項１から請求項４までのいずれか一項に記載の電子機器用ケース。
【請求項６】
前記ベース部材及び前記カバー部材は衝撃吸収性を備える素材で形成されていることを特徴とする請求項１から請求項５までのいずれか一項に記載の電子機器用ケース。
【考案の詳細な説明】
【技術分野】
【０００１】
本考案は、電子機器用ケースに係り、電子機器の使用に際して電子機器を姿勢可変に保持できる電子機器用ケースに関する。
【背景技術】
【０００２】
従来、電子機器用ケース、例えばゲーム用の電子機器のケースとして、画像表示部と操作ボタンを露出した状態で配置できるベース部材と、このベース部材の一辺部に開閉可能に接合され、ベース部材に配置されたゲーム端末を覆うカバー部材とを備え、カバー部材とベース部材との間に両者を接合する線ファスナ部材を配置したものがある。
【０００３】
また、このような電子機器用ケースとして使用時において電子機器を操作に適した姿勢に保持するものが提案されている。特許文献１には、タブレット端末画像表示部の表示窓を具備するタブレット端末収納体と、鞄本体とをそれぞれの底面部で可撓性連結帯によって連結したタブレット端末収納体を備えた鞄本体であって、横臥状態の鞄本体の底面部近傍の前面部上に、タブレット端末収納体をその上端を鞄本体の外方側に若干傾斜した斜め起立姿勢で載置させたとき、その起立姿勢を保持すべく、タブレット端末収納体の上端に固着した上端ベルトに延長ベルトを係止させ、延長ベルトの他端部と、タブレット端末収納体の下端両端部に固着した下端ベルトの他端部と、を鞄本体に係止するように構成したものが記載されている。
【０００４】
また、特許文献２には、電子機器を収納するケースが、そのカバー部分を利用して、机上等において電子機器を立てて使用する際にスタンドとして機能するようにするため、電子機器を収納するポケット部と、ポケット部の背面部の内側に一端が取り付けられたスタンド用片と、スタンド用片の先端部に形成された係止片とを設け、スタンドとして使用する場合は、カバー部を屈折させて該カバー部の先端を係止片に係止させ、この状態で、カバー部がスタンド用脚部として機能するものが記載されている。
【特許文献１】特開２０１４−１８２５３号公報
【特許文献２】特開２００９−１７８３７３号公報
【考案の開示】
【考案が解決しようとする課題】
【０００５】
しかし、従来の電子機器用ケースは、カバー部材を開いて、電子機器を使用することはできるものの、電子機器はベース部材に固定されたままであり、操作を行う姿勢に変更することができない。また、特許文献１、２に記載のものも電子機器の姿勢を変更することはできない。
【０００６】
本考案は上述した課題に鑑みてなされたものであり、電子機器を収納したままカバー部材を開いて、電子機器を見やすく、また操作しやすい姿勢に容易に変更できる電子機器用ケースを提供することを目的とする。
【課題を解決するための手段】
【０００７】
前記課題を解決する請求項１に記載の考案は、ベース部材とカバー部材とを備え、前記ベース部材と前記カバー部材の内部に平板状であり表面に画像表示部を備えた電子機器を収納する電子機器用ケースにおいて、前記ベース部材は、相対向する一辺部と他辺部とを備える平板部材であり、前記画像表示部を露出した状態で前記電子機器を保持するものであり、前記カバー部材は、前記ベース部材の一辺部に回動可能に接合され、前記ベース部材に保持された前記電子機器の前記画像表示部を露出する開位置と前記画像表示部を覆う閉位置とに配置できるものであり、前記ベース部材の内側であって前記他辺部の近傍に基端部が回動自在に接合されて、前記電子機器と前記ベース部材との間に配置され、前記電子機器の裏面に接触する支持プレート部材と、前記カバー部材の内側であって前記他辺部の近傍に一端が接合され、前記支持プレート部材の先端部を位置変更可能かつ接離自在に連結できる連結部材と、を備えることを特徴とする電子機器用ケースである。
本考案によれば、カバー部材を開いた状態で、支持プレート部材の先端部を連結部材の所望の位置に接合することにより、支持プレート部材のベース部材に対する姿勢を変え、ベース部材に対する電子機器の姿勢を所望の状態に変更することにより支持プレートとの姿勢を変更し、収納した電子機器を所望の姿勢に変更できる。
【０００８】
同じく請求項２に記載の考案は、請求項１に記載の電子機器用ケースにおいて、前記支持プレート部材の先端部と前記連結部材とは、面ファスナ部材で接合されることを特徴とする。
本考案によれば、支持プレート部材の先端部と連結部材とを面ファスナ部材で接合するので、支持プレートと連結部材との接合、離脱を容易に行え、支持プレート部材の姿勢変更を容易に行うことができる。
【０００９】
同じく請求項３に記載の考案は、請求項１又は請求項２に記載の電子機器用ケースにおいて、前記ベース部材及び前記カバー部材を、前記一辺部以外の周囲を開閉可能に結合する線ファスナ部材を備えることを特徴とする。
本考案によれば、電子機器を収納するときベース部材及びカバー部材の周囲を線ファスナ部材で容易に結合して確実に収納でき、更に電子機器を使用するとき、線ファスナ部材の結合を解除してカバー部材をベース部材に対して開くことができ、これらの操作を迅速かつ容易に行うことができる。
【００１０】
同じく請求項４に記載の考案は、請求項１から請求項３までのいずれか一項に記載の電子機器用ケースにおいて、前記支持プレート部材を前記カバー部材の内側面に固定する固定手段を備えることを特徴とする。
本考案によれば、支持プレートをカバー部材の内側に確実に固定することができ、電子機器をベース部材とカバー部材とで安定して保持することができる。
【００１１】
同じく請求項５に記載の考案は、請求項１から請求項４までのいずれか一項に記載の電子機器用ケースにおいて、前記カバー部材の内側に形成され、前記電子機器の付属部材を収納する収納部を備えることを特徴とする。
本考案によれば、電子機器の付属部材、例えばメモリーチップや入力ペンを電子機器と共に格納することができる。
【００１２】
同じく請求項６に記載の考案は、請求項１から請求項５までのいずれか一項に記載の電子機器用ケースにおいて、前記ベース部材及び前記カバー部材は衝撃吸収性を備える素材で形成されていることを特徴とする。
本考案によれば、ベース部材及びカバー部材が衝撃吸収性を備える素材で形成されているので、携帯時等において収納した電子機器を衝撃から保護することができる。
【考案の効果】
【００１３】
本考案に係る電子機器用ケースによれば、電子機器を収納したままカバー部材を開いて、電子機器を見やすく、また操作しやすい姿勢に容易に変更できる。
【図面の簡単な説明】
【００１４】
【図１】本考案の実施形態に係る電子機器用ケースを示す斜視図である。
【図２】同電子機器用ケースを開いた状態を示す図である。
【図３】同電子機器用ケースを開き支持プレートと接合部材を畳んだ状態を示す図である。
【図４】電子機器を収納した同電子機器用ケースを開いた状態を示す斜視図である。
【図５】同電子機器用ケースの部分拡大図である。
【図６】同電子機器用ケースを開き電子機器を使用する状態を示す図である。
【図７】同電子機器用ケースを開き電子機器を使用する状態を示す図である。
【考案を実施するための最良の形態】
【００１５】
本考案を実施するための形態に係る電子機器用ケースについて説明する。図１は本考案の実施形態に係る電子機器用ケースを示す斜視図、図２は同電子機器用ケースを開いた状態を示す図、図３は同電子機器用ケースを開き支持プレートと接合部材を畳んだ状態を示す図である。また、図４は電子機器を収納した同電子機器用ケースを開いた状態を示す斜視図、図５は同電子機器用ケースの部分拡大図である。
【００１６】
本実施形態において、電子機器２００は、携帯用のゲーム機であり、平面形状において四隅を弧状とした長円形状の平板状の装置である。図３に示すように、電子機器２００の表面側には、液晶ディスプレイで構成された長方形状の画像表示部２１０、各種の操作ボタン２２０、２３０、２４０、２５０が配置される。電子機器２００は、ベース部材１１０に表面の画像表示部２１０及び操作ボタン２２０を露出した状態で配置される。
【００１７】
実施形態に係る電子機器用ケース１００は、図１乃至図４に示すように、ベース部材１１０とカバー部材１２０とを備える。ベース部材１１０及びカバー部材１２０は布製であり２枚の布の間に衝撃吸収性を備える緩衝部材、例えば発泡性の合成樹脂板材を挟んで構成してある。
【００１８】
ベース部材１１０は、相対向する一辺部１１２と他辺部１１１を備える平板部材である。ベース部材１１０の平面形状は、電子機器２００の平面形状と略相似しており、やや大く形成される。ベース部材１１０には、電子機器２００が画像表示部２１０、操作ボタン２２０、２３０、２４０、２５０を露出した状態で保持される。
【００１９】
また、カバー部材１２０は、相対向する一辺部１２１と他辺部１２２を備える平板部材である。カバー部材１２０の平面形状は、電子機器２００の平面形状と略相似し、やや大きく、ベース部材１１０と略同じである。また、ベース部材１１０の一辺部１１２と、カバー部材１２０の一辺部１２１とは回動可能に接合される。即ち、ベース部材１１０の一辺部１１２と、カバー部材１２０の一辺部１２１との間には接合部材１４０が配置されている。
接合部材１４０は、布製であり、ベース部材１１０の一辺部１１２及びカバー部材１２０の一辺部１２１に接合されている。これにより、カバー部材１２０は、ベース部材１１０に保持された電子機器２００の画像表示部２１０を露出する開位置と前記画像表示部を覆う閉位置とに配置できる。
【００２０】
また、ベース部材１１０の周囲及びカバー部材１２０の周囲は、接合部材１４０が配置された箇所以外は線ファスナ部材１３０で開放、連結可能に結合されるように構成されている。
線ファスナ部材１３０はベース部材１１０側及びカバー部材１２０側にそれぞれエレメントを備えたテープ１３１、１３２が配置され、２つのスライダー１３３、１３４を備える。スライダー１３３、１３４にはそれぞれ引手１３３ａ、１３４ａが取り付けられている。このため、線ファスナ部材１３０において、スライダー１３３、１３４は、両側に向けて移動でき、少ない移動距離で簡単に開閉できる。
【００２１】
また、本実施形態に係る電子機器用ケース１００において、ベース部材１１０の内側には、支持プレート部材１５０が配置されている。支持プレート部材１５０は、布の間に合成樹脂製薄板材を芯材として配置して構成してある。支持プレート部材１５０は、ベース部材１１０の他辺部１１１の近傍において、布材及びメッシュ部材により可撓性を以て形成された基端部１５０ａを介して回動自在に接合されている。支持プレート部材１５０は、電子機器２００とベース部材１１０との間に配置され、電子機器２００の裏面に接触するように構成されている。
【００２２】
一方、カバー部材１２０の内側には、支持プレート部材１５０と、カバー部材１２０の他辺部１２２近傍の内側に基部１６０ａが接合され、支持プレート部材１５０の先端部１５０ｂを位置変更可能かつ接離自在に連結できる平面細長長方形紐状の連結部材１６０を備えている。
【００２３】
本実施形態では、支持プレート部材１５０の先端部１５０ｂには、面ファスナ部材を構成する先端接合部１５１が形成されている。先端接合部１５１は、面ファスナの一方の部材により形成されたフック状部材である。
【００２４】
また、連結部材１６０には、その基部１６０ａから先端部１６０ｂにかけて全面に面接合部１６１が形成されている。面接合部１６１は、先端接合部１５１が離脱自在に接合される面ファスナ部材の他方の部材により形成されたループ部材である。このため、先端接合部１５１は、面接合部１６１の任意の位置に接合できる。
【００２５】
更に、ベース部材１１０の内側面には、一辺部１１２の中央部に、支持プレート部材１５０をベース部材１１０の内側面に接触したとき先端接合部１５１が固定可能な固定手段である固定部材１１３が配置されている。この固定部材１１３は、フック状部材である先端接合部１５１が接合できるループ部材により形成されている。
【００２６】
図５は同電子機器用ケースの部分拡大図である。カバー部材１２０の内側には、電子機器２００の付属部材、例えば電子機器２００用のメモリーカード３００を収納する収納部として、収納ポケット部１７０を備える。
この収納ポケット部１７０は、弾性を備える帯状の織ゴムをカバー部材１２０の内側に複数のポケット１７１を形成するように縫い付けて構成されている。常時において、収納ポケット部１７０は、カバー１２３で覆われている。これにより、メモリーカード３００の損傷が防止される。また、接合部材１４０には、帯状の織ゴムの両端を縫い付けて形成した入力ペン収納部１４１が備えられている。これにより、電子機器２００とともに電子機器２００の付属品を電子機器用ケース１００に収納しておくことができる。
【００２７】
次に電子機器用ケース１００の使用手順について説明する。電子機器２００を電子機器用ケース１００に収納するには、電子機器用ケース１００が図１に示す閉状態である線ファスナ部材１３０を開いて、ベース部材１１０とカバー部材１２０とを開状態とする。そして、図３及び図４に示すように、支持プレート部材１５０を基端部１５０ａから折り、ベース部材１１０に沿わせて配置し先端接合部１５１を固定部材１１３に接触させる。これにより、先端接合部１５１を固定部材１１３に接合し、支持プレート部材１５０をベース部材１１０に沿って配置し固定する。
【００２８】
この状態で、ベース部材１１０の内側に電子機器２００を配置する。このとき、画像表示部２１０、操作ボタン２２０、２３０、２４０、２５０を表側とし露出状態とする。次いで、引手１３３ａ、１３４ａを両側から引き、スライダー１３３、１３４を移動させてテープ１３１、１３２のエレメントを順にかみ合わせ、線ファスナ部材１３０を閉状態とする。これにより、内部に電子機器用ケース１００に電子機器２００が収納される。
【００２９】
電子機器用ケース１００に収納された電子機器２００を使用するには、線ファスナ部材１３０を開状態とする。引手１３３ａ、１３４ａを両側に向けて引き、スライダー１３３、１３４を両側に開いて、線ファスナ部材１３０を開状態とする。そして、図６に示すように、カバー部材１２０をベース部材１１０に対して開き、電子機器２００を露出する。更に、電子機器２００の角度を調整する。
【００３０】
支持プレート部材１５０の先端接合部１５１を固定部材１１３から外し、電子機器２００とともに支持プレート部材１５０を、基端部１５０ａを中心にして立ち上げる。そして、連結部材１６０をカバー部材１２０の内側に垂れ下げ、支持プレート部材１５０の先端接合部１５１を連結部材１６０の面接合部１６１に接合する。このとき、先端接合部１５１を面接合部１６１のどの位置に接合するかにより、電子機器２００のベース部材１１０に対する姿勢、即ち角度を設定することができる。
【００３１】
図６に示す状態では、電子機器２００はベース部材１１０に対して角度αをなす。この状態から、先端接合部１５１を面接合部１６１の上側、即ち連結部材１６０をカバー部材１２０に取り付けた基部１６０ａ側に移動すると、図７に示すように、電子機器２００はベース部材１１０に対して角度β（α＜β）となり、より直立状態に近い姿勢となる。
このように、先端接合部１５１を面接合部１６１のどの位置に接合するかにより、電子機器２００の姿勢を変更できる。
この状態から再び電子機器２００を電子機器用ケース１００に格納するには、上述した手順を逆に行えばよい。
【００３２】
以上のように本実施形態に係る電子機器用ケース１００によれば、電子機器用ケース１００に電子機器２００を簡単に収納できる他、電子機器２００の使用時には、カバー部材１２０を広げて電子機器２００をベース部材１１０に対して所望の角度に固定できる。このため、電子機器用ケース１００に電子機器２００を配置した状態で、電子機器２００を見やすく操作しやすい姿勢に容易に設定できる。
【００３３】
なお、上記実施形態では、電子機器として形態ゲーム機を例として説明したが、電子機器としてスマートフォン、タブレット端末、その他の携帯電子機器を対象とすることができる。また、電子機器用ケースを主として布で形成する場合について説明したが、電子機器用ケースの素材は布に限らず、皮革、合成樹脂、その他の素材を使用して製造することができる。
【産業上の利用可能性】
【００３４】
本考案は、電子機器を収納したままカバー部材を開いて、電子機器を見やすく操作しやすい姿勢に容易に変更できるものであり、電子機器付属製品製造業において利用可能性を有する。
【符号の説明】
【００３５】
１００：電子機器用ケース
１１０：ベース部材
１１１：他辺部
１１２：一辺部
１１３：固定部材
１２０：カバー部材
１２１：一辺部
１２２：他辺部
１２３：カバー
１３０：線ファスナ部材
１３１、１３２：テープ
１３３、１３４：スライダー
１３３ａ、１３４ａ：引手
１４０：接合部材
１４１：入力ペン収納部
１５０：支持プレート部材
１５０ａ：基端部
１５０ｂ：先端部
１５１：先端接合部
１６０：連結部材
１６０ａ：一端
１６１：面接合部
１７０：収納ポケット部
１７１：ポケット
２００：電子機器
２１０：画像表示部
２２０、２３０、２４０、２５０：操作ボタン
３００：メモリーカード
【図１】
0003198822.tif 000003
【図２】
0003198822.tif 000004
【図３】
0003198822.tif 000005
【図４】
0003198822.tif 000006
【図５】
0003198822.tif 000007
【図６】
0003198822.tif 000008
【図７】
0003198822.tif 000009